(57)【特許請求の範囲】
【請求項１】
酸化シリコンから構成された第１領域及び窒化シリコンから構成された第２領域を有する被処理体に対するプラズマ処理によって、前記第１領域を前記第２領域に対して選択的にエッチングする方法であって、
前記被処理体を収容した処理容器内においてフルオロカーボンガスを含む処理ガスのプラズマを生成する第１工程と、
前記被処理体を収容した処理容器内においてフルオロカーボンガスを含む処理ガスのプラズマを更に生成する第２工程と、
前記第１工程及び前記第２工程により前記被処理体上に形成される堆積物に含まれるフルオロカーボンのラジカルによって前記第１領域をエッチングする第３工程と、
を含み、
前記第１工程において前記プラズマを生成するために利用される高周波電力が、前記第２工程において前記プラズマを生成するために利用される高周波電力よりも小さく、
前記第１工程、前記第２工程、及び前記第３工程を順に含むシーケンスが、繰り返し実行される、
方法。
【請求項２】
酸化シリコンから構成された第１領域及び窒化シリコンから構成された第２領域を有する被処理体に対するプラズマ処理によって、前記第１領域を前記第２領域に対して選択的にエッチングする方法であって、
前記被処理体を収容した処理容器内においてフルオロカーボンガスを含む処理ガスのプラズマを生成する第１工程と、
前記被処理体を収容した処理容器内においてフルオロカーボンガスを含む処理ガスのプラズマを更に生成する第２工程と、
前記被処理体を収容した処理容器内において不活性ガスを含みフルオロカーボンガスを含まない処理ガスのプラズマを生成して、前記第１工程及び前記第２工程により前記被処理体上に形成される堆積物に含まれるフルオロカーボンのラジカルによって前記第１領域をエッチングする第３工程と、
を含み、
前記第１工程において前記プラズマを生成するために利用される高周波電力が、前記第２工程において前記プラズマを生成するために利用される高周波電力よりも小さい、方法。
【請求項３】
前記第２領域は、凹部を画成し、
前記第１領域は、前記凹部を埋め、且つ前記第２領域を覆うように設けられており、
前記被処理体は、前記第１領域上に設けられたマスクを有し、該マスクは、前記凹部の上に該凹部の幅よりも広い幅を有する開口を提供し、
前記第２領域が露出する直前まで前記第１領域をエッチングする工程を更に含み、
前記シーケンスは、前記第２領域が露出する直前まで前記第１領域をエッチングする前記工程の後に実行される、
請求項１に記載の方法。
【請求項４】
前記シーケンスは、前記被処理体を収容した前記処理容器内において、酸素含有ガス及び不活性ガスを含む処理ガスのプラズマを生成する第４工程を更に含む、
請求項３に記載の方法。
【発明の詳細な説明】
【技術分野】
【０００１】
本発明の実施形態は、エッチング方法に関するものであり、特に、被処理体に対するプラズマ処理によって、酸化シリコンから構成された第１領域を、窒化シリコンから構成された第２領域に対して選択的にエッチングする方法に関するものである。
【背景技術】
【０００２】
電子デバイスの製造においては、酸化シリコン（ＳｉＯ２）から構成された領域に対してホール又はトレンチといった開口を形成する処理が行われることがある。このような処理では、米国特許第７７０８８５９号明細書に記載されているように、一般的には、フルオロカーボンガスのプラズマに被処理体が晒されて、当該領域がエッチングされる。
【０００３】
また、酸化シリコンから構成された第１領域を、窒化シリコンから構成された第２領域に対して選択的にエッチングする技術が知られている。このような技術の一例としては、ＳＡＣ（Ｓｅｌｆ−Ａｌｉｇｎｄ  Ｃｏｎｔａｃｔ）技術が知られている。ＳＡＣ技術については、特開２０００−３０７００１号公報に記載されている。
【０００４】
ＳＡＣ技術の処理対象である被処理体は、酸化シリコン製の第１領域、窒化シリコン製の第２領域、及びマスクを有している。第２領域は、凹部を画成するように設けられており、第１領域は、当該凹部を埋め、且つ、第２領域を覆うように設けられており、マスクは、第１領域上に設けられており、凹部の上に開口を提供している。従来のＳＡＣ技術では、特開２０００−３０７００１号公報に記載されているように、第１領域のエッチングのために、フルオロカーボンガス、酸素ガス、及び希ガスを含む処理ガスのプラズマが用いられる。この処理ガスのプラズマに被処理体を晒すことにより、マスクの開口から露出した部分において第１領域がエッチングされて上部開口が形成される。さらに、処理ガスのプラズマに被処理体が晒されることにより、第２領域によって囲まれた部分、即ち凹部内の第１領域が自己整合的にエッチングされる。これにより、上部開口に連続する下部開口が自己整合的に形成される。
【先行技術文献】
【特許文献】
【０００５】
【特許文献１】米国特許第７７０８８５９号明細書
【特許文献２】特開２０００−３０７００１号公報
【発明の概要】
【発明が解決しようとする課題】
【０００６】
上述した従来の技術では、第１領域のエッチングが進行して第２領域が露出した時点において、第２領域の表面上に当該第２領域を保護する膜が形成されていない状態が生じる。この状態において第１領域のエッチングが更に行われると、第２領域に削れが生じる。
【０００７】
したがって、窒化シリコンから構成された第２領域の削れを抑制しつつ、酸化シリコンから構成された第１領域をエッチングすることが求められている。
【課題を解決するための手段】
【０００８】
一態様においては、被処理体に対するプラズマ処理によって、酸化シリコンから構成された第１領域を窒化シリコンから構成された第２領域に対して選択的にエッチングする方法が提供される。この方法は、（ａ）被処理体を収容した処理容器内においてフルオロカーボンガスを含む処理ガスのプラズマを生成する第１工程と、（ｂ）被処理体を収容した処理容器内においてフルオロカーボンガスを含む処理ガスのプラズマを更に生成する第２工程と、（ｃ）第１工程及び第２工程により処理体上に形成される堆積物に含まれるフルオロカーボンのラジカルによって第１領域をエッチングする第３工程とを含む。第１工程においてプラズマを生成するために利用される高周波電力は、第２工程においてプラズマを生成するために利用される高周波電力よりも小さい。
【０００９】
上記一態様に係る方法は、第１工程及び第２工程においてフルオロカーボンを含む堆積物を被処理体の表面上に形成し、第３工程において当該堆積物中のフルオロカーボンのラジカルによって第１領域をエッチングするものである。ここで、フルオロカーボンガスを含む処理ガスのプラズマの生成に用いられる高周波電力が小さいときには、被処理体上に形成される堆積物の量は少なくなるが、被処理体がエッチングされる量も少なくなる。一方、当該高周波電力が大きいときには、被処理体上に形成される堆積物の量は多くなるが、被処理体がエッチングされる量も多くなる。上記方法では、第１工程において用いられる高周波電力が小さいので、被処理体のエッチング量、即ち第２領域のエッチング量を抑制しつつ、第２領域上に堆積物を形成することができる。この第１工程で形成された堆積物によって第２領域を保護しつつ、第２工程において大きい高周波電力を用いることにより、被処理体上に形成する堆積物の量を増加させることができる。そして、このように形成された堆積物によって第２領域を保護しつつ、第３工程において第１領域がエッチングされる。したがって、第２領域の削れを抑制しつつ、第１領域をエッチングすることが可能となる。
【００１０】
一実施形態では、第１工程、第２工程、及び第３工程を順に含むシーケンスが、繰り返し実行されてもよい。
【００１１】
一実施形態では、被処理体の第２領域は、凹部を画成し、第１領域は、凹部を埋め、且つ第２領域を覆うように設けられており、被処理体は、第１領域上に設けられたマスクを有し、このマスクは、凹部の上に該凹部の幅よりも広い幅を有する開口を提供する。この実施形態における方法は、第２領域が露出する直前まで第１領域をエッチングする工程を更に含み、上記シーケンスは、第２領域が露出する直前まで第１領域をエッチングする前工程の後に実行される。
【００１２】
一実施形態では、上記シーケンスは、第４工程を更に含み得る。第４工程では、被処理体を収容した処理容器内において、酸素含有ガス及び不活性ガスを含む処理ガスのプラズマが生成される。この実施形態によれば、酸素の活性種によって、被処理体に形成されている堆積物の量を適度に減少させることができる。したがって、マスクの開口、及びエッチングによって形成される開口の閉塞を防止することが可能となる。また、この実施形態では、処理ガスにおいて酸素含有ガスが不活性ガスによって希釈されているので、堆積物が過剰に除去されることを抑制することができる。
【発明の効果】
【００１３】
以上説明したように、窒化シリコンから構成された第２領域の削れを抑制しつつ、酸化シリコンから構成された第１領域をエッチングすることが可能となる。
【図面の簡単な説明】
【００１４】
【図１】一実施形態に係るエッチング方法を示す流れ図である。
【図２】一実施形態に係るエッチング方法の適用対象である被処理体を例示する断面図である。
【図３】図１に示す方法の実施に用いることが可能なプラズマ処理装置の一例を概略的に示す図である。
【図４】図１に示す方法の実施の途中段階における被処理体を示す断面図である。
【図５】図１に示す方法の実施の途中段階における被処理体を示す断面図である。
【図６】図１に示す方法の実施の途中段階における被処理体を示す断面図である。
【図７】図１に示す方法の実施の途中段階における被処理体を示す断面図である。
【図８】図１に示す方法の実施の途中段階における被処理体を示す断面図である。
【図９】図１に示す方法の実施の途中段階における被処理体を示す断面図である。
【図１０】図１に示す方法の実施の途中段階における被処理体を示す断面図である。
【図１１】図１に示す方法の実施の途中段階における被処理体を示す断面図である。
【図１２】図１に示す方法の実施の途中段階における被処理体を示す断面図である。
【図１３】図１に示す方法の実施の途中段階における被処理体を示す断面図である。
【図１４】図１に示す方法の実施の途中段階における被処理体を示す断面図である。
【図１５】図１に示す方法の実施の途中段階における被処理体を示す断面図である。
【図１６】図１に示す方法の実施の途中段階における被処理体を示す断面図である。
【図１７】図１に示す方法の実施の途中段階における被処理体を示す断面図である。
【発明を実施するための形態】
【００１５】
以下、図面を参照して種々の実施形態について詳細に説明する。なお、各図面において同一又は相当の部分に対しては同一の符号を附すこととする。
【００１６】
図１は、一実施形態に係るエッチング方法を示す流れ図である。図１に示す方法ＭＴは、被処理体に対するプラズマ処理によって、酸化シリコンから構成された第１領域を窒化シリコンから構成された第２領域に対して選択的にエッチングする方法である。
【００１７】
図２は、一実施形態に係るエッチング方法の適用対象である被処理体を例示する断面図である。図２に示すように、被処理体、即ちウエハＷは、基板ＳＢ、第１領域Ｒ１、第２領域Ｒ２、及び、後にマスクを構成する有機膜ＯＬを有している。一例では、ウエハＷは、フィン型電界効果トランジスタの製造途中に得られるものであり、更に、隆起領域ＲＡ、シリコン含有の反射防止膜ＡＬ、及び、レジストマスクＲＭを有している。
【００１８】
隆起領域ＲＡは、基板ＳＢから隆起するように設けられている。この隆起領域ＲＡは、例えば、ゲート領域を構成し得る。第２領域Ｒ２は、窒化シリコン（Ｓｉ３Ｎ４）から構成されており、隆起領域ＲＡの表面、及び、基板ＳＢの表面上に設けられている。この第２領域Ｒ２は、図２に示すように、凹部を画成するように延在している。一例では、凹部の深さは、約１５０ｎｍであり、凹部の幅は、約２０ｎｍである。
【００１９】
第１領域Ｒ１は、酸化シリコン（ＳｉＯ２）から構成されており、第２領域Ｒ２上に設けられている。具体的に、第１領域Ｒ１は、第２領域Ｒ２によって画成される凹部を埋め、当該第２領域Ｒ２を覆うように設けられている。
【００２０】
有機膜ＯＬは、第１領域Ｒ１上に設けられている。有機膜ＯＬは、有機材料、例えば、アモルファスカーボンから構成され得る。反射防止膜ＡＬは、有機膜ＯＬ上に設けられている。レジストマスクＲＭは、反射防止膜ＡＬ上に設けられている。レジストマスクＲＭは、第２領域Ｒ２によって画成される凹部上に当該凹部の幅よりも広い幅を有する開口を提供している。レジストマスクＲＭの開口の幅は、例えば、６０ｎｍである。このようなレジストマスクＲＭのパターンは、フォトリソグラフィ技術により形成される。
【００２１】
方法ＭＴでは、図２に示すウエハＷのような被処理体がプラズマ処理装置内において処理される。図３は、図１に示す方法の実施に用いることが可能なプラズマ処理装置の一例を概略的に示す図である。図３に示すプラズマ処理装置１０は、容量結合型プラズマエッチング装置であり、略円筒状の処理容器１２を備えている。処理容器１２の内壁面は、例えば、陽極酸化処理されたアルミニウムから構成されている。この処理容器１２は保安接地されている。
【００２２】
処理容器１２の底部上には、略円筒状の支持部１４が設けられている。支持部１４は、例えば、絶縁材料から構成されている。支持部１４は、処理容器１２内において、処理容器１２の底部から鉛直方向に延在している。また、処理容器１２内には、載置台ＰＤが設けられている。載置台ＰＤは、支持部１４によって支持されている。
【００２３】
載置台ＰＤは、その上面においてウエハＷを保持する。載置台ＰＤは、下部電極ＬＥ及び静電チャックＥＳＣを有している。下部電極ＬＥは、第１プレート１８ａ及び第２プレート１８ｂを含んでいる。第１プレート１８ａ及び第２プレート１８ｂは、例えばアルミニウムといった金属から構成されており、略円盤形状をなしている。第２プレート１８ｂは、第１プレート１８ａ上に設けられており、第１プレート１８ａに電気的に接続されている。
【００２４】
第２プレート１８ｂ上には、静電チャックＥＳＣが設けられている。静電チャックＥＳＣは、導電膜である電極を一対の絶縁層又は絶縁シート間に配置した構造を有している。静電チャックＥＳＣの電極には、直流電源２２がスイッチ２３を介して電気的に接続されている。この静電チャックＥＳＣは、直流電源２２からの直流電圧により生じたクーロン力等の静電力によりウエハＷを吸着する。これにより、静電チャックＥＳＣは、ウエハＷを保持することができる。
【００２５】
第２プレート１８ｂの周縁部上には、ウエハＷのエッジ及び静電チャックＥＳＣを囲むようにフォーカスリングＦＲが配置されている。フォーカスリングＦＲは、エッチングの均一性を向上させるために設けられている。フォーカスリングＦＲは、エッチング対象の膜の材料によって適宜選択される材料から構成されており、例えば、石英から構成され得る。
【００２６】
第２プレート１８ｂの内部には、冷媒流路２４が設けられている。冷媒流路２４は、温調機構を構成している。冷媒流路２４には、処理容器１２の外部に設けられたチラーユニットから配管２６ａを介して冷媒が供給される。冷媒流路２４に供給された冷媒は、配管２６ｂを介してチラーユニットに戻される。このように、冷媒流路２４とチラーユニットとの間では、冷媒が循環される。この冷媒の温度を制御することにより、静電チャックＥＳＣによって支持されたウエハＷの温度が制御される。
【００２７】
また、プラズマ処理装置１０には、ガス供給ライン２８が設けられている。ガス供給ライン２８は、伝熱ガス供給機構からの伝熱ガス、例えばＨｅガスを、静電チャックＥＳＣの上面とウエハＷの裏面との間に供給する。
【００２８】
また、プラズマ処理装置１０は、上部電極３０を備えている。上部電極３０は、載置台ＰＤの上方において、当該載置台ＰＤと対向配置されている。下部電極ＬＥと上部電極３０とは、互いに略平行に設けられている。上部電極３０と下部電極ＬＥとの間には、ウエハＷにプラズマ処理を行うための処理空間Ｓが提供されている。
【００２９】
上部電極３０は、絶縁性遮蔽部材３２を介して、処理容器１２の上部に支持されている。一実施形態では、上部電極３０は、載置台ＰＤの上面、即ち、ウエハ載置面からの鉛直方向における距離が可変であるように構成され得る。上部電極３０は、電極板３４及び電極支持体３６を含み得る。電極板３４は処理空間Ｓに面しており、当該電極板３４には複数のガス吐出孔３４ａが設けられている。この電極板３４は、一実施形態では、シリコンから構成されている。
【００３０】
電極支持体３６は、電極板３４を着脱自在に支持するものであり、例えばアルミニウムといった導電性材料から構成され得る。この電極支持体３６は、水冷構造を有し得る。電極支持体３６の内部には、ガス拡散室３６ａが設けられている。このガス拡散室３６ａからは、ガス吐出孔３４ａに連通する複数のガス通流孔３６ｂが下方に延びている。また、電極支持体３６には、ガス拡散室３６ａに処理ガスを導くガス導入口３６ｃが形成されており、このガス導入口３６ｃには、ガス供給管３８が接続されている。
【００３１】
ガス供給管３８には、バルブ群４２及び流量制御器群４４を介して、ガスソース群４０が接続されている。ガスソース群４０は、複数のガスソースを含んでいる。一例では、ガスソース群４０は、一以上のフルオロカーボンガスのソース、希ガスのソース、窒素ガス（Ｎ２ガス）のソース、水素ガス（Ｈ２ガス）のソース、及び、酸素含有ガスのソースを含んでいる。一以上のフルオロカーボンガスのソースは、一例では、Ｃ４Ｆ８ガスのソース、ＣＦ４ガスのソース、及び、Ｃ４Ｆ６ガスのソースを含み得る。希ガスのソースは、Ｈｅガス、Ｎｅガス、Ａｒガス、Ｋｒガス、Ｘｅガスといった任意の希ガスのソースであることができ、一例では、Ａｒガスのソースである。また、酸素含有ガスのソースは、一例では、酸素ガス（Ｏ２ガス）のソースであり得る。なお、酸素含有ガスは、酸素を含有する任意のガスであってもよく、例えば、ＣＯガス又はＣＯ２ガスといった酸化炭素ガスであってもよい。
【００３２】
バルブ群４２は複数のバルブを含んでおり、流量制御器群４４はマスフローコントローラといった複数の流量制御器を含んでいる。ガスソース群４０の複数のガスソースはそれぞれ、バルブ群４２の対応のバルブ及び流量制御器群４４の対応の流量制御器を介して、ガス供給管３８に接続されている。
【００３３】
また、プラズマ処理装置１０では、処理容器１２の内壁に沿ってデポシールド４６が着脱自在に設けられている。デポシールド４６は、支持部１４の外周にも設けられている。デポシールド４６は、処理容器１２にエッチング副生物（デポ）が付着することを防止するものであり、アルミニウム材にＹ２Ｏ３等のセラミックスを被覆することにより構成され得る。
【００３４】
処理容器１２の底部側、且つ、支持部１４と処理容器１２の側壁との間には排気プレート４８が設けられている。排気プレート４８は、例えば、アルミニウム材にＹ２Ｏ３等のセラミックスを被覆することにより構成され得る。この排気プレート４８の下方、且つ、処理容器１２には、排気口１２ｅが設けられている。排気口１２ｅには、排気管５２を介して排気装置５０が接続されている。排気装置５０は、ターボ分子ポンプなどの真空ポンプを有しており、処理容器１２内の空間を所望の真空度まで減圧することができる。また、処理容器１２の側壁にはウエハＷの搬入出口１２ｇが設けられており、この搬入出口１２ｇはゲートバルブ５４により開閉可能となっている。
【００３５】
また、プラズマ処理装置１０は、第１の高周波電源６２及び第２の高周波電源６４を更に備えている。第１の高周波電源６２は、プラズマ生成用の高周波電力を発生する電源であり、例えば、２７〜１００ＭＨｚの周波数の高周波電力を発生する。第１の高周波電源６２は、整合器６６を介して上部電極３０に接続されている。整合器６６は、第１の高周波電源６２の出力インピーダンスと負荷側（上部電極３０側）の入力インピーダンスを整合させるための回路である。なお、第１の高周波電源６２は、整合器６６を介して下部電極ＬＥに接続されていてもよい。
【００３６】
第２の高周波電源６４は、ウエハＷにイオンを引き込むための高周波バイアス電力を発生する電源であり、例えば、４００ｋＨｚ〜１３．５６ＭＨｚの範囲内の周波数の高周波バイアス電力を発生する。第２の高周波電源６４は、整合器６８を介して下部電極ＬＥに接続されている。整合器６８は、第２の高周波電源６４の出力インピーダンスと負荷側（下部電極ＬＥ側）の入力インピーダンスを整合させるための回路である。
【００３７】
また、プラズマ処理装置１０は、電源７０を更に備えている。電源７０は、上部電極３０に接続されている。電源７０は、処理空間Ｓ内に存在する正イオンを電極板３４に引き込むための電圧を、上部電極３０に印加する。一例においては、電源７０は、負の直流電圧を発生する直流電源である。別の一例において、電源７０は、比較的低周波の交流電圧を発生する交流電源であってもよい。電源７０から上部電極に印加される電圧は、−１５０Ｖ以下の電圧であり得る。即ち、電源７０によって上部電極３０に印加される電圧は、絶対値が１５０以上の負の電圧であり得る。このような電圧が電源７０から上部電極３０に印加されると、処理空間Ｓに存在する正イオンが、電極板３４に衝突する。これにより、電極板３４から二次電子及び／又はシリコンが放出される。放出されたシリコンは、処理空間Ｓ内に存在するフッ素の活性種と結合し、フッ素の活性種の量を低減させる。
【００３８】
また、一実施形態においては、プラズマ処理装置１０は、制御部Ｃｎｔを更に備え得る。この制御部Ｃｎｔは、プロセッサ、記憶部、入力装置、表示装置等を備えるコンピュータであり、プラズマ処理装置１０の各部を制御する。この制御部Ｃｎｔでは、入力装置を用いて、オペレータがプラズマ処理装置１０を管理するためにコマンドの入力操作等を行うことができ、また、表示装置により、プラズマ処理装置１０の稼働状況を可視化して表示することができる。さらに、制御部Ｃｎｔの記憶部には、プラズマ処理装置１０で実行される各種処理をプロセッサにより制御するための制御プログラムや、処理条件に応じてプラズマ処理装置１０の各部に処理を実行させるためのプログラム、即ち、処理レシピが格納される。
【００３９】
以下、再び図１を参照して、方法ＭＴについて詳細に説明する。以下の説明では、図２、図４〜図１７を適宜参照する。図４〜図１７は、方法ＭＴの実施の途中段階における被処理体を示す断面図である。なお、以下の説明では、方法ＭＴにおいて図２に示すウエハＷが図３に示す一つのプラズマ処理装置１０を用いて処理される例について説明する。
【００４０】
まず、方法ＭＴでは、プラズマ処理装置１０内に図２に示すウエハＷが搬入され、当該ウエハＷが載置台ＰＤ上に載置されて、当該載置台ＰＤによって保持される。
【００４１】
方法ＭＴでは、次いで、工程ＳＴ１が実行される。工程ＳＴ１では、反射防止膜ＡＬがエッチングされる。このため、工程ＳＴ１では、ガスソース群４０の複数のガスソースのうち選択されたガスソースから処理容器１２内に処理ガスが供給される。この処理ガスは、フルオロカーボンガスを含む。フルオロカーボンガスは、例えば、Ｃ４Ｆ８ガス及びＣＦ４ガスのうち一種以上を含み得る。また、この処理ガスは、希ガス、例えば、Ａｒガスを更に含み得る。また、工程ＳＴ１では、排気装置５０が作動され、処理容器１２内の圧力が所定の圧力に設定される。さらに、工程ＳＴ１では、第１の高周波電源６２からの高周波電力、及び、第２の高周波電源６４からの高周波バイアス電力が下部電極ＬＥに対して供給される。
【００４２】
以下に、工程ＳＴ１における各種条件を例示する。
・処理容器内圧力：１０ｍＴｏｒｒ（１．３３Ｐａ）〜５０ｍＴｏｒｒ（６．６５Ｐａ）
・処理ガス
Ｃ４Ｆ８ガス：１０ｓｃｃｍ〜３０ｓｃｃｍ
ＣＦ４ガス：１５０ｓｃｃｍ〜３００ｓｃｃｍ
Ａｒガス：２００ｓｃｃｍ〜５００ｓｃｃｍ
・プラズマ生成用の高周波電力：３００Ｗ〜１０００Ｗ
・高周波バイアス電力：２００Ｗ〜５００Ｗ
【００４３】
工程ＳＴ１では、処理ガスのプラズマが生成され、フルオロカーボンの活性種によって、レジストマスクＲＭの開口から露出されている部分において反射防止膜ＡＬがエッチングされる。その結果、図４に示すように、反射防止膜ＡＬの全領域のうち、レジストマスクＲＭの開口から露出されている部分が除去される。即ち、反射防止膜ＡＬにレジストマスクＲＭのパターンが転写され、反射防止膜ＡＬに開口を提供するパターンが形成される。なお、工程ＳＴ１における上述したプラズマ処理装置１０の各部の動作は制御部Ｃｎｔによって制御され得る。
【００４４】
続く工程ＳＴ２では、有機膜ＯＬがエッチングされる。このため、工程ＳＴ２では、ガスソース群４０の複数のガスソースのうち選択されたガスソースから処理容器１２内に処理ガスが供給される。この処理ガスは、水素ガス及び窒素ガスを含み得る。なお、工程ＳＴ２において用いられる処理ガスは、有機膜をエッチングし得るものであれば、他のガス、例えば、酸素ガスを含む処理ガスであってもよい。また、工程ＳＴ２では、排気装置５０が作動され、処理容器１２内の圧力が所定の圧力に設定される。さらに、工程ＳＴ２では、第１の高周波電源６２からの高周波電力、及び、第２の高周波電源６４からの高周波バイアス電力が下部電極ＬＥに対して供給される。
【００４５】
以下に、工程ＳＴ２における各種条件を例示する。
・処理容器内圧力：５０ｍＴｏｒｒ（６．６５Ｐａ）〜２００ｍＴｏｒｒ（２６．６Ｐａ）
・処理ガス
Ｎ２ガス：２００ｓｃｃｍ〜４００ｓｃｃｍ
Ｈ２ガス：２００ｓｃｃｍ〜４００ｓｃｃｍ
・プラズマ生成用の高周波電力：５００Ｗ〜２０００Ｗ
・高周波バイアス電力：２００Ｗ〜５００Ｗ
【００４６】
工程ＳＴ２では、処理ガスのプラズマが生成され、反射防止膜ＡＬの開口から露出されている部分において有機膜ＯＬがエッチングされる。また、レジストマスクＲＭもエッチングされる。その結果、図５に示すように、レジストマスクＲＭが除去され、有機膜ＯＬの全領域のうち、反射防止膜ＡＬの開口から露出されている部分が除去される。即ち、有機膜ＯＬに反射防止膜ＡＬのパターンが転写され、有機膜ＯＬに開口ＭＯを提供するパターンが形成され、当該有機膜ＯＬからマスクＭＫが生成される。なお、工程ＳＴ２における上述したプラズマ処理装置１０の各部の動作は制御部Ｃｎｔによって制御され得る。
【００４７】
一実施形態においては、工程ＳＴ２の実行後に工程ＳＴ３が実行される。工程ＳＴ３では、第１領域Ｒ１が、第２領域Ｒ２が露出する直前までエッチングされる。即ち、第２領域Ｒ２上に第１領域Ｒ１が僅かに残されるまで、当該第１領域Ｒ１がエッチングされる。このため、工程ＳＴ３では、ガスソース群４０の複数のガスソースのうち選択されたガスソースから処理容器１２内に処理ガスが供給される。この処理ガスは、フルオロカーボンガスを含む。また、この処理ガスは、希ガス、例えば、Ａｒガスを更に含み得る。また、この処理ガスは、酸素ガスを更に含み得る。また、工程ＳＴ３では、排気装置５０が作動され、処理容器１２内の圧力が所定の圧力に設定される。さらに、工程ＳＴ３では、第１の高周波電源６２からの高周波電力、及び、第２の高周波電源６４からの高周波バイアス電力が下部電極ＬＥに対して供給される。
【００４８】
工程ＳＴ３では、処理ガスのプラズマが生成され、マスクＭＫの開口から露出されている部分において第１領域Ｒ１が、フルオロカーボンの活性種によってエッチングされる。この工程ＳＴ３の処理時間は、当該工程ＳＴ３の終了時に、第２領域Ｒ２上に第１領域Ｒ１が所定の膜厚で残されるように、設定される。この工程ＳＴ３の実行の結果、図６に示すように、上部開口ＵＯが部分的に形成される。なお、工程ＳＴ３における上述したプラズマ処理装置１０の各部の動作は制御部Ｃｎｔによって制御され得る。
【００４９】
ここで、後述する工程ＳＴ１１及び工程ＳＴ１２では、第１領域Ｒ１のエッチングよりも、第１領域Ｒ１を含むウエハＷの表面上へのフルオロカーボンを含む堆積物の形成が優位となるモード、即ち、堆積モードとなる条件が選択される。一方、工程ＳＴ３では、堆積物の形成よりも第１領域Ｒ１のエッチングが優位となるモード、即ち、エッチングモードとなる条件が選択される。このため、一例では、工程ＳＴ３において利用されるフルオロカーボンガスは、Ｃ４Ｆ８ガス及びＣＦ４ガスのうち一種以上を含み得る。この例のフルオロカーボンガスは、工程ＳＴ１１及び工程ＳＴ１２において利用されるフルオロカーボンガスの炭素原子数に対するフッ素原子数の比（即ち、フッ素原子数／炭素原子数）よりも、炭素原子数に対するフッ素原子数の比（即ち、フッ素原子数／炭素原子数）が高いフルオロカーボンガスである。また、一例では、フルオロカーボンガスの解離度を高めるために、工程ＳＴ３において利用されるプラズマ生成用の高周波電力は、工程ＳＴ１１及び工程ＳＴ１２において利用されるプラズマ生成用の高周波電力よりも大きい電力に設定され得る。これら例によれば、エッチングモードを実現することが可能となる。また、一例では、工程ＳＴ３において利用される高周波バイアス電力も、工程ＳＴ１１及び工程ＳＴ１２の高周波バイアス電力よりも大きい電力に設定され得る。この例によれば、ウエハＷに対して引き込まれるイオンのエネルギーが高められ、第１領域Ｒ１を高速にエッチングすることが可能となる。
【００５０】
以下に、工程ＳＴ３における各種条件を例示する。
・処理容器内圧力：１０ｍＴｏｒｒ（１．３３Ｐａ）〜５０ｍＴｏｒｒ（６．６５Ｐａ）
・処理ガス
Ｃ４Ｆ8ガス：１０ｓｃｃｍ〜３０ｓｃｃｍ
ＣＦ４ガス：５０ｓｃｃｍ〜１５０ｓｃｃｍ
Ａｒガス：５００ｓｃｃｍ〜１０００ｓｃｃｍ
Ｏ２ガス：１０ｓｃｃｍ〜３０ｓｃｃｍ
・プラズマ生成用の高周波電力：５００Ｗ〜２０００Ｗ
・高周波バイアス電力：５００Ｗ〜２０００Ｗ
【００５１】
一実施形態では、次いで、工程ＳＴ４が実行される。工程ＳＴ４では、処理容器１２内において酸素含有ガスを含む処理ガスのプラズマが生成される。このため、工程ＳＴ４では、ガスソース群４０の複数のガスソースのうち選択されたガスソースから処理容器１２内に処理ガスが供給される。この処理ガスは、一例では、酸素含有ガスとして、酸素ガスを含み得る。また、処理ガスは、希ガス（例えば、Ａｒガス）又は窒素ガスといった不活性ガスを更に含み得る。また、工程ＳＴ４では、排気装置５０が作動され、処理容器１２内の圧力が所定の圧力に設定される。さらに、工程ＳＴ４では、第１の高周波電源６２からの高周波電力が下部電極ＬＥに対して供給される。なお、工程ＳＴ４では、第２の高周波電源６４からの高周波バイアス電力が下部電極ＬＥに供給されなくてもよい。
【００５２】
工程ＳＴ４では、酸素の活性種が生成され、当該酸素の活性種によってマスクＭＫの開口ＭＯがその上端部分において広げられる。具体的には、図７に示すように、開口ＭＯの上端部分を画成するマスクＭＫの上側肩部がテーパ形状を呈するように、エッチングされる。これにより、以後の工程で生成される堆積物がマスクＭＫの開口ＭＯを画成する面に付着しても、当該開口ＭＯの幅の縮小量を低減させることができる。なお、工程ＳＴ４における上述したプラズマ処理装置１０の各部の動作は制御部Ｃｎｔによって制御され得る。
【００５３】
ここで、後述する工程ＳＴ１３では、各シーケンスにおいて形成される微量の堆積物を減少させるものであり、堆積物の過剰な減少を抑制する必要がある。一方、工程ＳＴ４では、マスクＭＫの開口ＭＯの上端部分の幅を広げるために実行されるものであり、その処理時間の短さが要求される。
【００５４】
以下に、工程ＳＴ４における各種条件を例示する。
・処理容器内圧力：３０ｍＴｏｒｒ（３．９９Ｐａ）〜２００ｍＴｏｒｒ（２６．６Ｐａ）
・処理ガス
Ｏ２ガス：５０ｓｃｃｍ〜５００ｓｃｃｍ
Ａｒガス：２００ｓｃｃｍ〜１５００ｓｃｃｍ
・プラズマ生成用の高周波電力：１００Ｗ〜５００Ｗ
・高周波バイアス電力：０Ｗ〜２００Ｗ
【００５５】
次いで、方法ＭＴでは、第１領域Ｒ１をエッチングするために、シーケンスＳＱが実行される。一実施形態では、シーケンスＳＱが繰り返し実行される。シーケンスＳＱは、工程ＳＴ１１、工程ＳＴ１２、及び、工程ＳＴ１４を順に含んでいる。一実施形態では、シーケンスＳＱは、工程ＳＴ１２と工程ＳＴ１４との間に実行される工程ＳＴ１３を更に含んでいる。
【００５６】
シーケンスＳＱでは、まず、工程ＳＴ１１が実行される。工程ＳＴ１１では、ウエハＷが収容された処理容器１２内で、処理ガスのプラズマが生成される。このため、工程ＳＴ１１では、ガスソース群４０の複数のガスソースのうち選択されたガスソースから処理容器１２内に処理ガスが供給される。この処理ガスは、フルオロカーボンガスを含む。また、この処理ガスは、希ガス、例えば、Ａｒガスを更に含み得る。また、工程ＳＴ１１では、排気装置５０が作動され、処理容器１２内の圧力が所定の圧力に設定される。さらに、工程ＳＴ１１では、第１の高周波電源６２からの高周波電力が下部電極ＬＥに対して供給される。これにより、フルオロカーボンガスを含む処理ガスのプラズマが生成され、解離したフルオロカーボンが、ウエハＷの表面上に堆積して、図８に示すように堆積物ＤＰを形成する。かかる工程ＳＴ１１における上述したプラズマ処理装置１０の各部の動作は制御部Ｃｎｔによって制御され得る。
【００５７】
続く工程ＳＴ１２では、ウエハＷが収容された処理容器１２内で、処理ガスのプラズマが更に生成される。このため、工程ＳＴ１２においても、ガスソース群４０の複数のガスソースのうち選択されたガスソースから処理容器１２内に処理ガスが供給される。この処理ガスは、フルオロカーボンガスを含む。また、この処理ガスは、希ガス、例えば、Ａｒガスを更に含み得る。また、工程ＳＴ１２では、排気装置５０が作動され、処理容器１２内の圧力が所定の圧力に設定される。さらに、工程ＳＴ１２では、第１の高周波電源６２からの高周波電力が下部電極ＬＥに対して供給される。これにより、フルオロカーボンガスを含む処理ガスのプラズマが生成され、解離したフルオロカーボンが、ウエハＷの表面上に堆積して、図９に示すように、堆積物ＤＰの量を増加させる。かかる工程ＳＴ１２における上述したプラズマ処理装置１０の各部の動作は制御部Ｃｎｔによって制御され得る。
【００５８】
上述したように、工程ＳＴ１１及び工程ＳＴ１２では、堆積モードとなる条件が選択される。このため、一例では、フルオロカーボンガスとして、Ｃ４Ｆ６ガスが利用される。
【００５９】
また、工程ＳＴ１１において利用されるプラズマ生成用の高周波電力は、工程ＳＴ１２において利用されるプラズマ生成用の高周波電力よりも小さい電力に設定される。フルオロカーボンガスを含む処理ガスのプラズマの生成に用いられる高周波電力が小さいときには、フルオロカーボンの解離度が低くなり、ウエハＷ上に形成される堆積物ＤＰの量は少なくなるが、ウエハＷがエッチングされる量も少なくなる。一方、当該高周波電力が大きいときには、フルオロカーボンの解離度が高くなり、ウエハＷ上に形成される堆積物ＤＰの量は多くなるが、ウエハＷがエッチングされる量も多くなる。方法ＭＴでは、上述したように工程ＳＴ１１において用いられる高周波電力が小さいので、ウエハＷのエッチング量を抑制しつつ、即ち第２領域Ｒ２のエッチング量を抑制しつつ、第２領域Ｒ２上に薄く堆積物ＤＰを形成することができる。この工程ＳＴ１１で薄く形成された堆積物ＤＰによって第２領域を保護しつつ、工程ＳＴ１２において大きい高周波電力を用いることにより、ウエハＷ上に形成する堆積物ＤＰの量を増加させることができる。したがって、第２領域Ｒ２の削れを抑制しつつ、当該第２領域Ｒ２上に形成される堆積物ＤＰの量を増加させることができる。特に、第２領域Ｒ２が露出するときを含む期間において、かかる工程ＳＴ１１及び工程ＳＴ１２を実行することにより、第２領域Ｒ２の削れを抑制することができる。
【００６０】
以下に、工程ＳＴ１１における各種条件を例示する。
・処理容器内圧力：１０ｍＴｏｒｒ（１．３３Ｐａ）〜５０ｍＴｏｒｒ（６．６５Ｐａ）
・処理ガス
Ｃ４Ｆ６ガス：２ｓｃｃｍ〜１０ｓｃｃｍ
Ａｒガス：５００ｓｃｃｍ〜１５００ｓｃｃｍ
・プラズマ生成用の高周波電力：１００Ｗ〜３００Ｗ
・高周波バイアス電力：０Ｗ
【００６１】
また、以下に、工程ＳＴ１２における各種条件を例示する。
・処理容器内圧力：１０ｍＴｏｒｒ（１．３３Ｐａ）〜５０ｍＴｏｒｒ（６．６５Ｐａ）
・処理ガス
Ｃ４Ｆ６ガス：２ｓｃｃｍ〜１０ｓｃｃｍ
Ａｒガス：５００ｓｃｃｍ〜１５００ｓｃｃｍ
・プラズマ生成用の高周波電力：３００Ｗ〜１０００Ｗ
・高周波バイアス電力：０Ｗ
【００６２】
一実施形態では、次いで、工程ＳＴ１３が実行される。工程ＳＴ１３では、処理容器１２内において酸素含有ガス及び不活性ガスを含む処理ガスのプラズマが生成される。このため、工程ＳＴ１３では、ガスソース群４０の複数のガスソースのうち選択されたガスソースから処理容器１２内に処理ガスが供給される。一例では、この処理ガスは、酸素含有ガスとして、酸素ガスを含む。また、一例では、この処理ガスは、不活性ガスとして、Ａｒガスといった希ガスを含む。不活性ガスは、窒素ガスであってもよい。また、工程ＳＴ１３では、排気装置５０が作動され、処理容器１２内の圧力が所定の圧力に設定される。さらに、工程ＳＴ１３では、第１の高周波電源６２からの高周波電力が下部電極ＬＥに対して供給される。工程ＳＴ１３では、第２の高周波電源６４からの高周波バイアス電力が下部電極ＬＥに供給されなくてもよい。
【００６３】
工程ＳＴ１３では、酸素の活性種が生成され、当該酸素の活性種によって、ウエハＷ上の堆積物ＤＰの量が、図１０に示すように、適度に減少される。その結果、過剰な堆積物ＤＰによって開口ＭＯ及び上部開口ＵＯが閉塞されることが防止される。また、工程ＳＴ１３で利用される処理ガスでは、酸素ガスが不活性ガスによって希釈されているので、堆積物ＤＰが過剰に除去されることを抑制することができる。かかる工程ＳＴ１３における上述したプラズマ処理装置１０の各部の動作は制御部Ｃｎｔによって制御され得る。
【００６４】
以下に、工程ＳＴ１３における各種条件を例示する。
・処理容器内圧力：１０ｍＴｏｒｒ（１．３３Ｐａ）〜５０ｍＴｏｒｒ（６．６５Ｐａ）
・処理ガス
Ｏ２ガス：２ｓｃｃｍ〜２０ｓｃｃｍ
Ａｒガス：５００ｓｃｃｍ〜１５００ｓｃｃｍ
・プラズマ生成用の高周波電力：１００Ｗ〜５００Ｗ
・高周波バイアス電力：０Ｗ
【００６５】
一実施形態では、各シーケンスの工程ＳＴ１３、即ち一回の工程ＳＴ１３は２秒以上実行され、且つ、工程ＳＴ１３において堆積物ＤＰが１ｎｍ／秒以下のレートでエッチングされ得る。プラズマ処理装置１０のようなプラズマ処理装置を用いて上記シーケンスを実行するには、工程ＳＴ１２、工程ＳＴ１３、及び工程ＳＴ１４の各工程間の遷移のためのガスの切り換えに時間を要する。したがって、放電の安定に要する時間を考慮すると、工程ＳＴ１３は２秒以上実行される必要がある。しかしながら、このような時間長の期間における堆積物ＤＰのエッチングのレートが高すぎると、第２領域Ｒ２を保護するための堆積物が過剰に除去され得る。このため、工程ＳＴ１３において１ｎｍ／秒以下のレートで堆積物ＤＰがエッチングされる。これにより、ウエハＷ上に形成されている堆積物ＤＰの量を適度に調整することが可能となる。なお、工程ＳＴ１３における堆積物ＤＰのエッチングの１ｎｍ／秒以下のレートは、処理容器内の圧力、処理ガス中の酸素の希ガスによる希釈の度合い、即ち、酸素濃度、及び、プラズマ生成用の高周波電力を、上述した条件から選択することによって達成され得る。
【００６６】
続く工程ＳＴ１４では、第１領域Ｒ１がエッチングされる。このため、工程ＳＴ１４では、ガスソース群４０の複数のガスソースのうち選択されたガスソースから処理容器１２内に処理ガスが供給される。この処理ガスは、不活性ガスを含む。不活性ガスは、一例では、Ａｒガスといった希ガスであり得る。或いは、不活性ガスは、窒素ガスであってもよい。また、工程ＳＴ１４では、排気装置５０が作動され、処理容器１２内の圧力が所定の圧力に設定される。さらに、工程ＳＴ１４では、第１の高周波電源６２からの高周波電力が下部電極ＬＥに対して供給される。また、工程ＳＴ１４では、第２の高周波電源６４からの高周波バイアス電力が下部電極ＬＥに供給される。
【００６７】
以下に、工程ＳＴ１４における各種条件を例示する。
・処理容器内圧力：１０ｍＴｏｒｒ（１．３３Ｐａ）〜５０ｍＴｏｒｒ（６．６５Ｐａ）
・処理ガス
Ａｒガス：５００ｓｃｃｍ〜１５００ｓｃｃｍ
・プラズマ生成用の高周波電力：１００Ｗ〜５００Ｗ
・高周波バイアス電力：２０Ｗ〜３００Ｗ
【００６８】
工程ＳＴ１４では、不活性ガスのプラズマが生成され、イオンがウエハＷに対して引き込まれる。そして、堆積物ＤＰに含まれるフルオロカーボンのラジカルによって第１領域Ｒ１がエッチングされる。これにより、図１１に示すように、第２領域Ｒ２によって提供される凹部内の第１領域Ｒ１がエッチングされ、下部開口ＬＯが徐々に形成される。かかる工程ＳＴ１４における上述したプラズマ処理装置１０の各部の動作は制御部Ｃｎｔによって制御され得る。
【００６９】
一実施形態では、上述の工程ＳＴ１１〜工程ＳＴ１４を含むシーケンスＳＱが繰り返される。そして、シーケンスＳＱの繰り返しに伴い、図１２に示すように、工程ＳＴ１１及び工程ＳＴ１２の実行により堆積物ＤＰがウエハＷ上に形成される。そして、図１３に示すように、工程ＳＴ１３の実行により、堆積物ＤＰの量が減少される。そして、図１４に示すように、工程ＳＴ１４の実行により更に第１領域Ｒ１がエッチングされ、下部開口ＬＯの深さが深くなる。また、更なるシーケンスＳＱの繰り返しに伴い、図１５に示すように、工程ＳＴ１１及び工程ＳＴ１２の実行により堆積物ＤＰがウエハＷ上に形成される。そして、図１６に示すように、工程ＳＴ１３の実行により、堆積物ＤＰの量が減少される。そして、図１７に示すように、工程ＳＴ１４の実行により更に第１領域Ｒ１がエッチングされ、下部開口ＬＯの深さが更に深くなる。最終的には、凹部の底にある第２領域Ｒ２が露出するまで第１領域Ｒ１がエッチングされる。
【００７０】
図１に戻り、方法ＭＴでは、工程ＳＴａにおいて、停止条件が満たされるか否かが判定される。停止条件はシーケンスＳＱが所定回数実行されている場合に満たされるものと判定される。工程ＳＴａにおいて、停止条件が満たされないと判定される場合には、工程ＳＴ１１からシーケンスＳＱが実行される。一方、工程ＳＴａにおいて、停止条件が満たされると判定される場合には、方法ＭＴの実施が終了する。
【００７１】
一実施形態では、第２領域Ｒ２が露出されるときを含む期間に実行されるシーケンスＳＱ（以下、「第１シーケンス」という）において第１領域Ｒ１がエッチングされる量が、以後に実行されるシーケンスＳＱ（以下、「第２シーケンス」という）において第１領域Ｒ１がエッチングされる量よりも少なくなるように、シーケンスＳＱの繰り返しにおける条件が設定されてもよい。一例においては、第１シーケンスの実行時間長が、第２シーケンスの実行時間長よりも短く設定される。この例では、第１シーケンスにおける工程ＳＴ１１の実行時間長、工程ＳＴ１２の実行時間長、工程ＳＴ１３の実行時間長、及び工程ＳＴ１４の実行時間長の比は、第２シーケンスにおける工程ＳＴ１１の実行時間長、工程ＳＴ１２の実行時間長、工程ＳＴ１３の実行時間長、及び工程ＳＴ１４の実行時間長の比と同様に設定され得る。例えば、第１シーケンスでは、工程ＳＴ１１の実行時間長は２秒〜５秒の範囲の時間長から選択され、工程ＳＴ１２の実行時間長は２秒〜５秒の範囲の時間長から選択され、工程ＳＴ１３の実行時間長は２秒〜５秒の範囲の時間長から選択され、工程ＳＴ１４の実行時間長は５秒〜１０秒の範囲の時間長から選択される。また、第２シーケンスでは、工程ＳＴ１１の実行時間長は２秒〜１０秒の範囲の時間長から選択され、工程ＳＴ１２の実行時間長は２秒〜１０秒の範囲の時間長から選択され、工程ＳＴ１３の実行時間長は２秒〜１０秒の範囲の時間長から選択され、工程ＳＴ１４の実行時間長は５秒〜２０秒の範囲の時間長から選択される。
【００７２】
工程ＳＴ１１及び工程ＳＴ１２で生成されるフルオロカーボンの活性種は、第２領域Ｒ２上に堆積して当該第２領域Ｒ２を保護するが、第１領域Ｒ１がエッチングされて第２領域Ｒ２が露出したときには、第２領域Ｒ２をエッチングし得る。そこで、一実施形態では、第２領域Ｒ２が露出する期間において第１シーケンスが実行される。これにより、エッチング量が抑えられつつ堆積物ＤＰがウエハＷ上に形成され、当該堆積物ＤＰによって第２領域Ｒ２が保護される。しかる後に、エッチング量の多い第２シーケンスが実行される。したがって、この実施形態によれば、第２領域Ｒ２の削れを抑制しつつ、第１領域Ｒ１をエッチングすることが可能となる。
【００７３】
また、第２シーケンスの実行の後に実行されるシーケンスＳＱ（以下、「第３シーケンス」という）の工程ＳＴ１４では、高周波バイアス電力が、第１シーケンス及び第２シーケンスの工程ＳＴ１４において利用される高周波バイアス電力よりも、大きい電力に設定されてもよい。例えば、第１シーケンス及び第２シーケンスの工程ＳＴ１４では、高周波バイアス電力が２０Ｗ〜１００Ｗの電力に設定され、第３シーケンスの工程ＳＴ１４では、高周波バイアス電力が１００Ｗ〜３００Ｗの電力に設定される。なお、一例の第３シーケンスでは、工程ＳＴ１１の実行時間長は２秒〜１０秒の範囲の時間長から選択され、工程ＳＴ１２の実行時間長は２秒〜１０秒の範囲の時間長から選択され、工程ＳＴ１３の実行時間長は２秒〜１０秒の範囲の時間長から選択され、工程ＳＴ１４の実行時間長は５秒〜１５秒の範囲の時間長から選択される。
【００７４】
図１５に示すように、第１シーケンス及び第２シーケンスの実行後には、ウエハＷ上の堆積物ＤＰの量が相当に多くなる。堆積物ＤＰの量が多くなると、開口ＭＯの幅、上部開口ＵＯ、及び下部開口ＬＯの幅が堆積物ＤＰによって狭められる。これにより、下部開口ＬＯの深部に到達するイオンの流束が不足する事態が生じ得る。しかしながら、第３シーケンスの工程ＳＴ１４では比較的大きい高周波バイアス電力が利用されるので、ウエハＷに引きつけられるイオンのエネルギーが高められる。その結果、下部開口ＬＯが深くても、当該下部開口ＬＯの深部までイオンを供給することが可能となる。
【００７５】
以上、種々の実施形態について説明してきたが、上述した実施形態に限定されることなく種々の変形態様を構成可能である。例えば、方法ＭＴの実施において、上部電極３０にプラズマ生成用の高周波電力が供給されているが、当該高周波電力は下部電極ＬＥに供給されてもよい。また、方法ＭＴの実施には、プラズマ処理装置１０以外のプラズマ処理装置を用いることができる。具体的には、誘導結合型のプラズマ処理装置、又は、マイクロ波といった表面波によってプラズマを生成するプラズマ処理装置のように、任意のプラズマ処理装置を用いて方法ＭＴを実施することが可能である。
【００７６】
また、シーケンスＳＱにおける工程ＳＴ１１、工程ＳＴ１２、工程ＳＴ１３、及び工程ＳＴ１４の実行順序が変更されてもよい。例えば、シーケンスＳＱにおいて、工程ＳＴ１４の実行後に工程ＳＴ１３が実行されてもよい。
【００７７】
また、変形態様に係る方法は、シーケンスＳＱのみを含むものであってもよい。この場合には、ウエハＷは図２に示されるウエハに限定されるものではなく、酸化シリコンから構成された第１領域と窒化シリコンから構成された第２領域を有するものであればよい。
【００７８】
また、繰り返し実行されるシーケンスＳＱの全てが工程ＳＴ１１を含んでいる必要はない。例えば、第２領域Ｒ２が露出するときを含む期間において、工程ＳＴ１１を含むシーケンスＳＱが実行されればよく、その他の期間に実行されるシーケンスＳＱは工程ＳＴ１１を含んでいなくてもよい。
【符号の説明】
【００７９】
１０…プラズマ処理装置、１２…処理容器、３０…上部電極、ＰＤ…載置台、ＬＥ…下部電極、ＥＳＣ…静電チャック、４０…ガスソース群、４２…バルブ群、４４…流量制御器群、５０…排気装置、６２…第１の高周波電源、６４…第２の高周波電源、Ｃｎｔ…制御部、Ｗ…ウエハ、Ｒ１…第１領域、Ｒ２…第２領域、ＯＬ…有機膜、ＡＬ…シリコン含有反射防止膜、ＭＫ…マスク、ＤＰ…堆積物。
【図１】
0006504827.tif 000002
【図２】
0006504827.tif 000003
【図３】
0006504827.tif 000004
【図４】
0006504827.tif 000005
【図５】
0006504827.tif 000006
【図６】
0006504827.tif 000007
【図７】
0006504827.tif 000008
【図８】
0006504827.tif 000009
【図９】
0006504827.tif 000010
【図１０】
0006504827.tif 000011
【図１１】
0006504827.tif 000012
【図１２】
0006504827.tif 000013
【図１３】
0006504827.tif 000014
【図１４】
0006504827.tif 000015
【図１５】
0006504827.tif 000016
【図１６】
0006504827.tif 000017
【図１７】
0006504827.tif 000018